(57)【特許請求の範囲】
【請求項１】
緯方向の一端部に位置する一重織部（Ｔ１）と、前記一重織部（Ｔ１）の緯方向に隣り合う二重織部（Ｔ２）とを備える織物であり、
前記二重織部（Ｔ２）は経糸（Ｙ）として、前記二重織部（Ｔ２）の表側に露出させるための表糸（Ｙ１）と、前記二重織部（Ｔ２）の裏側に露出させるための裏糸（Ｙ２）とを備え、
前記裏糸（Ｙ２）のうちの、前記二重織部（Ｔ２）の表側に露出する部分の両隣りには、前記表糸（Ｙ１）のうちの、前記二重織部（Ｔ２）の表側に露出する部分が常に存在し、前記表糸（Ｙ１）は前記裏糸（Ｙ２）よりも前記二重織部（Ｔ２）の表側に多く露出するものであると共に、前記裏糸（Ｙ２）は前記表糸（Ｙ１）よりも前記二重織部（Ｔ２）の裏側に多く露出するものであり、
前記表糸（Ｙ１）と前記裏糸（Ｙ２）は、異なる色の先染め糸であることを特徴とするスライドファスナー用のファスナーテープ。
【請求項２】
前記二重織部（Ｔ２）の前記表糸（Ｙ１）と前記裏糸（Ｙ２）は、前記一重織部（Ｔ１）の経糸（Ｙ０）とは異なる色の先染め糸であることを特徴とする請求項１に記載のスライドファスナー用のファスナーテープ。
【請求項３】
前記二重織部（Ｔ２）の前記表糸（Ｙ１）と前記裏糸（Ｙ２）のうち一方は前記一重織部（Ｔ１）の経糸（Ｙ０）と同じ色の先染め糸であり、他方は前記一重織部（Ｔ１）の経糸（Ｙ０）とは異なる色の先染め糸であることを特徴とする請求項１に記載のスライドファスナー用のファスナーテープ。
【請求項４】
前記二重織部（Ｔ２）は経糸（Ｙ）として、前記表糸（Ｙ１）、前記裏糸（Ｙ２）の他に補強糸（Ｙ３）を備え、
前記補強糸（Ｙ３）は、前記表糸（Ｙ１）よりも前記二重織部（Ｔ２）の裏側に多く露出すると共に、前記裏糸（Ｙ２）よりも前記二重織部（Ｔ２）の表側に多く露出することを特徴とする請求項１、２又は３に記載のスライドファスナー用のファスナーテープ。
【請求項５】
前記二重織部（Ｔ２）における前記経糸（Ｙ）の密度は、緯糸（Ｘ）の密度より大きいことを特徴とする請求項１、２、３又は４記載のスライドファスナー用のファスナーテープ。
【請求項６】
前記二重織部（Ｔ２）における前記経糸（Ｙ）の密度は、前記一重織部（Ｔ１）の経糸（Ｙ０）の密度より大きいことを特徴とする請求項１、２、３、４又は５記載のスライドファスナー用のファスナーテープ。
【発明の詳細な説明】
【技術分野】
【０００１】  本発明は、スライドファスナーに用いるファスナーテープに関するものであって、より詳しくは織物のファスナーテープに関する。
【背景技術】
【０００２】  織物のファスナーテープは製造された後に、その一側縁部にエレメントが取り付けられる。一般的には、織物のファスナーテープが厚いと、エレメントが取り付け難くなるという、技術常識がある。たとえば織物のファスナーテープにモノフィラメントからなるエレメント列を縫製する場合、ファスナーテープが厚いと、針が通り難いので、エレメント列が取り付け難い。【０００３】  またファスナーテープの一例として、表裏面を所望の色にするために、後染め可能な２種類の糸が用いられた織物が存在する（特許文献１）。より詳しく言えば、このファスナーテープは、所定の染料で染色可能な第１糸と、第１糸を染色する染料では染色されずに別の染料で染色可能な第２糸が後染め可能な糸として用いられ、織物の表面側に裏面側よりも多く第１糸を露出させ、織物の裏面側に表面側よりも多く第２糸を露出させるように織られた織物である。そしてこのファスナーテープは、織物になった後に、インクジェット染色法や吹付け染色法により第１糸、第２糸を所望の色に染色し、表裏面を所望の色にできるものである。したがって第１糸と第２糸を異なる色に後染めすることによって、ファスナーテープは表裏で異なる外観を発揮する織物となる。
【先行技術文献】
【特許文献】
【０００４】
【特許文献１】特開平５−２７７００６号公報
【発明の概要】
【発明が解決しようとする課題】
【０００５】  しかしながら上記したファスナーテープは、後染めされた織物なので、先染めされた糸で織られた織物に比べれば、その色の品質が悪い。【０００６】  本発明のファスナーテープは上記実情を考慮して創作されたもので、その目的はエレメント列を取り付け易くし、且つ表裏で異なる外観にすると共に、色をできるだけ高品質にした織物を提供することである。
【課題を解決するための手段】
【０００７】
本発明のスライドファスナー用のファスナーテープは、緯方向の一端部に位置する一重織部と、前記一重織部の緯方向に隣り合う二重織部とを備える織物である。そして二重織部は経糸として、二重織部の表側に露出させるための表糸と、二重織部の裏側に露出させるための裏糸とを備える。裏糸のうちの、二重織部の表側に露出する部分の両隣りには、表糸のうちの、二重織部の表側に露出する部分が常に存在し、表糸は裏糸よりも二重織部の表側に多く露出するものであると共に、裏糸は表糸よりも二重織部の裏側に多く露出するものである。そのうえで表糸と裏糸は、異なる色の先染め糸である。
【０００８】  ファスナーテープの表側と裏側の両方で一重織部と二重織部を色で外観上見分けるには、次のようにすることが望ましい。  すなわち二重織部の表糸と裏糸は、一重織部の経糸とは異なる色の先染め糸にすることである。【０００９】  またファスナーテープの表側と裏側のうち一方のみで一重織部と二重織部を色で外観上見分けるには、次のようにすることが望ましい。  すなわち二重織部の表糸と裏糸のうち一方は一重織部の経糸と同じ色の先染め糸にし、他方は一重織部の経糸とは異なる色の先染め糸にすることである。【００１０】  また二重織部は、経糸として表糸と裏糸だけを備えるものであっても良いが、織物としての丈夫さを補強するためには次のようにすることが望ましい。  すなわち二重織部は経糸として、表糸、裏糸の他に、補強糸を備え、補強糸は、表糸よりも二重織部の裏側に多く露出すると共に、裏糸よりも二重織部の表側に多く露出することである。【００１１】  また二重織部における経糸と緯糸の密度は、問わないが、二重織部の色に緯糸の色よりも経糸の色を反映させ、一重織部と二重織部を色で外観上見分け易くするには、次のようにすることが望ましい。  すなわち二重織部における経糸の密度は、緯糸の密度より大きいことである。【００１２】  また一重織部と二重織部の経糸の密度は、問わないが、一重織部と二重織部を色で外観上見分け易くするには、次のようにすることが望ましい。  すなわち二重織部における経糸の密度は、一重織部の経糸の密度より大きいことである。
【発明の効果】
【００１３】  本発明のファスナーテープによれば、二重織部よりも一重織部の厚みが薄く、しかもその厚みの薄い一重織部を緯方向の一端部に備えることから、一重織部にエレメント列が取り付け易くなる。また二重織部の経糸には先染め糸を用いているので、たとえば織物となった後に経糸を染めたものに比べれば、ファスナーテープ（二重織部）の色は高品質になる。また二重織部の表側には表糸の色が外観上の影響を与え、二重織部の裏側には裏糸の色が外観上の影響を与えることから、ファスナーテープは表側と裏側で異なる外観になる。【００１４】  また二重織部の表糸と裏糸を一重織部の経糸とは異なる色の先染め糸にしたファスナーテープによれば、ファスナーテープの表側と裏側の両方で一重織部と二重織部を色で外観上見分けられる。【００１５】  また二重織部の表糸と裏糸のうち一方を一重織部の経糸と同じ色の先染め糸にし、他方を一重織部の経糸とは異なる色の先染め糸にしたファスナーテープによれば、ファスナーテープの表側と裏側のうち一方のみで一重織部と二重織部を色で外観上見分けられる。【００１６】  また二重織部の経糸として表糸、裏糸の他に補強糸を備えるファスナーテープによれば、補強糸が表糸よりも二重織部の裏側に多く露出すると共に、裏糸よりも二重織部の表側に多く露出するものなので、たとえば表糸と裏糸だけを経糸とする二重織部に比べて、織物としての丈夫さが向上すると共に、織物としての厚みが薄くなる。【００１７】  また二重織部における経糸の密度を緯糸の密度より大きくしたファスナーテープによれば、二重織部の色に緯糸の色よりも経糸の色が表れることになり、一重織部と二重織部を色で外観上見分け易くなる。【００１８】  また二重織部における経糸の密度を一重織部の経糸の密度より大きくしたファスナーテープによれば、二重織部では一重織部よりも経糸が見え易くなり、一重織部と二重織部を色で外観上見分け易くなる。
【図面の簡単な説明】
【００１９】
【図１】本発明の第一実施形態のファスナーテープの平面図と、その一部を拡大して糸の組み合わせ方を表現した模式図と、を併用した図面である。
【図２】（Ａ）図は、図１の模式図の部分のうち二重織部を拡大して示す模式図で、（Ｂ）図は、（Ａ）図の模式図で表現した糸の組み合わせ方を実際の織物に近づけた状態で示す模式図である。
【図３】（Ａ）図は、二重織部の１番、２番、９番の三本の経糸と緯糸との関係を示す図面、（Ｂ）図は図１の一重織部の０番、３６番の経糸と緯糸との関係を示す図面、（Ｃ）図は図１の一重織部の３８番の経糸と緯糸との関係を示す図面である。
【図４】本発明の第一実施形態のファスナーテープが用いられたスライドファスナーを示す平面図である。
【発明を実施するための形態】
【００２０】  図４にはスライドファスナー２０の一例が示されている。このスライドファスナー２０は、対向する２枚のファスナーストリンガー２１，２１と、２枚のファスナーストリンガー２１，２１の対向する側縁部に沿って往復動可能なスライダー２２を、主として備えている。このスライドファスナー２０は、本発明の第一実施形態のファスナーテープＴと、ファスナーテープＴの対向する側縁部に沿って縫製で取り付けられたエレメント列Ｅを備えている。
【００２１】  本発明の第一実施形態のファスナーテープＴは織物である。本発明を説明するにあたって以下のように方向を定める。「経方向」とは、織物を厚み方向から視て、織物を構成する経糸と緯糸のうち経糸の延長する方向である。「緯方向」とは、織物を厚み方向から視て、緯糸の延長する方向である。なお図４は、スライドファスナー２０の全体を示すものなので、経糸、緯糸が示されていないが、図４では経方向は上下方向であり、緯方向は左右方向である。また図１は、本発明の第一実施形態のファスナーテープＴを示すもので、経糸Ｙ、緯糸Ｘが示されており、図１では経方向は上下方向であり、緯方向は左右方向である。「表側」とは、織物の厚み方向のうち一方側であり、図１、４では紙面の側、より詳しく言えば目視可能な面の側である。「裏側」とは、織物の厚み方向のうち他方側であり、図１、４では紙面の裏側、より詳しく言えば目視不能な面の側である。
【００２２】  本発明の第一実施形態のファスナーテープＴは図１，４に示すように、緯方向に順番に一重織部Ｔ１、二重織部Ｔ２、一重織部Ｔ１を連続して配置した織物であり、ニードル織機で織られたものである。言い換えれば本実施形態のファスナーテープＴは、緯方向の両端部に一重織部Ｔ１をそれぞれ備え、２つの一重織部Ｔ１，Ｔ１の間に二重織部Ｔ２を隣り合わせに備えるものである。２つの一重織部Ｔ１，Ｔ１のうち一方は、エレメント列Ｅを縫製によって取り付ける部分である。また他方は衣類等の対象物に縫製によって取り付ける部分である。以下、一重織部Ｔ１と二重織部Ｔ２を詳述する。
【００２３】  図１には、ファスナーテープＴの他に、ファスナーテープＴの一部分の拡大図が示されており、この拡大図では、経糸Ｙと緯糸Ｘの組み合わせ方を表現してある。また拡大図では、その組み合わせ方を明確化するために、経糸Ｙを３種類の太線で示し、緯糸Ｘを１種類の線で示してある。  経糸Ｙを示す３種類の太線とは、黒色の太い実線（以下、「黒線」と言う。）、平行な二本の実線の間に黒い点が散在している線（以下、「水玉模様の線」と言う。）、平行な二本の実線の間に平行な斜線が等間隔で配置された線（以下、「斜線模様の線」と言う。）である。緯糸Ｘを示す線は、平行な二本の実線の間を白色とした線（以下、「白線」と言う。）である。  また図１では、左側の一重織部Ｔ１の緯方向の中間部分を省略し、二重織部Ｔ２の右側部分を省略し、右側の一重織部Ｔ１の右側部分を省略してある。
【００２４】  一重織部Ｔ１とは、互いに一重の経糸と緯糸とからなる織物である。一重織部Ｔ１は、どのような組織であっても良く、たとえば平織り組織、綾織り組織、朱子織り組織等がある。ちなみに図１では、一重織部Ｔ１の経糸は水玉模様の線で示され、符号Ｙ０が付記されている。
【００２５】  二重織部Ｔ２とは、経二重織、緯二重織、経緯二重織の何れかである。  経二重織とは、一重の緯糸Ｘと、一重の緯糸Ｘに対して表裏二重の経糸Ｙ、Ｙとからなる織物である。  緯二重織とは、一重の経糸Ｙと、一重の経糸Ｙに対して表裏二重の緯糸Ｘ、Ｘとからなる織物である。  経緯二重織とは、経糸Ｙと緯糸Ｘがともに二重の織物である。
【００２６】  また二重織部Ｔ２は、本実施形態では経二重織であると共に、経糸Ｙに３種類の糸を用い、緯糸Ｘに１種類の糸を用いている。  １種類目の経糸Ｙは、二重織部Ｔ２の表側に露出させるための糸、つまり表糸Ｙ１である。２種類目の経糸Ｙは、二重織部Ｔ２の裏側に露出させるための糸、つまり裏糸Ｙ２である。  表糸Ｙ１は、裏糸Ｙ２よりも二重織部Ｔ２の表側に多く露出するものであって、より詳しく言えば本実施形態では二重織部Ｔ２の裏側よりも表側に多く露出させる糸であり、緯糸Ｘの表側に位置する量が多い糸である。したがって表糸Ｙ１の全長のうち緯糸Ｘの表側に位置する長さが、緯糸Ｘの裏側に位置する長さよりも長い。表糸Ｙ１は図１の拡大図では黒線である。  裏糸Ｙ２は、表糸Ｙ１よりも二重織部Ｔ２の裏側に多く露出するものであって、より詳しく言えば本実施形態では二重織部Ｔ２の表側よりも裏側に多く露出させる糸であり、緯糸Ｘの裏側に位置する量が多い糸である。したがって裏糸Ｙ２の全長のうち緯糸Ｘの裏側に位置する長さは、緯糸Ｘの表側に位置する長さよりも長い。図１の拡大図では斜線模様の線である。  ３種類目の経糸Ｙは、経糸Ｙとして表糸Ｙ１と裏糸Ｙ２だけを用いた二重織部よりも織物としての丈夫さを補強するための糸、つまり補強糸Ｙ３である。補強糸Ｙ３は、表糸Ｙ１よりも二重織部Ｔ２の裏側に多く露出すると共に、裏糸Ｙ２よりも二重織部Ｔ２の表側に多く露出するものであって、より詳しく言えば本実施形態では織物の表側と裏側に同等に露出させる糸である。図１の拡大図では水玉模様の線である。
【００２７】  図２には図１の模式図の部分のうち二重織部Ｔ２を拡大して示す模式図が示されている。図２の例では、経糸Ｙが緯方向に十八本示されており、図面での左側から右側に向かって順番に各経糸Ｙに円形の枠（○）で囲まれた１〜１８の番号が併記されている。また緯糸Ｘが経方向に十六本示されており、図面での下側から上側に向かって順番に各緯糸Ｘに四角形の枠（□）で囲まれた１〜１６の番号が併記されている。そして経糸Ｙのうち表糸Ｙ１は１，３，５，７，１０，１２，１４，１６番の経糸Ｙである。経糸Ｙのうち裏糸Ｙ２は２，４，６，８，１１，１３，１５，１７番の経糸Ｙであり、経糸Ｙのうち補強糸Ｙ３は９，１８番の経糸Ｙである。なお図２では、二重織部Ｔ２の経糸Ｙは１８本であるが、本実施形態では３５本であるものとし、図１に示すように一重織部Ｔ１の経糸Ｙのうち二重織部Ｔ２に対して緯方向の左隣りの経糸Ｙは、０番の経糸Ｙ０、右隣りの経糸Ｙは３６番の経糸Ｙ０とする。
【００２８】  表糸Ｙ１は図２、図３（Ａ）に示すように、八本の緯糸Ｘごとに同じ織り方を繰り返して織られたものである。１，５番の表糸Ｙ１は、１〜８番の八本の緯糸Ｘに対しては、１〜６番の六本の緯糸Ｘの表側に重なると共に、７〜８番の二本の緯糸Ｘの裏側に重なるように交錯させて織られ、この織り方で次の９〜１６番の八本の緯糸Ｘに対しても織られたものである。３，７番の表糸Ｙ１は、１〜８番の八本の緯糸Ｘに対しては、１，２，５〜８番の六本の緯糸Ｘの表側に重なると共に、３，４番の二本の緯糸Ｘの裏側に重なるように交錯させて織られ、この織り方で次の９〜１６番の八本の緯糸Ｘに対しても織られたものである。
【００２９】  経糸Ｙのうち裏糸Ｙ２も図２、図３（Ａ）に示すように、八本の緯糸Ｘごとに同じ織り方を繰り返して織られたものである。２，６番の裏糸Ｙ２は、１〜４，７，８番の六本の緯糸Ｘの裏側に重なると共に、５〜６番の二本の緯糸Ｘの表側に重なるように交錯させて織られ、この織り方で次の９〜１６番の八本の緯糸Ｘに対しても織られたものである。４，８番の裏糸Ｙ２は、１，２番の二本の緯糸Ｘの表側に重なると共に、３〜８番の六本の緯糸Ｘの裏側に重なるように交錯させて織られ、この織り方で次の９〜１６番の八本の緯糸Ｘに対しても織られたものである。表糸Ｙ１と裏糸Ｙ２とは、二重織部Ｔ２を構成する経糸Ｙのうち大部分を占めると共に、二重織部Ｔ２において同じ本数用いられている。
【００３０】  経糸Ｙのうち補強糸Ｙ３は図２、図３（Ａ）に示すように、二重織部Ｔ２を構成する経糸Ｙのうちごく一部分を占めると共に、二重織部Ｔ２の緯方向の中間部に間隔をあけて配置されている。また補強糸Ｙ３は四本ごとに同じ織り方を繰り返して織られたものである。９番の補強糸Ｙ３は、１〜２番の緯糸Ｘの裏側に重なると共に、３，４番の二本の緯糸Ｘの表側に重なるように交錯させて織られ、この織り方で次の５〜８番の四本の緯糸Ｘに対しても織られたものである。
【００３１】  なお二重織部Ｔ２は、表糸Ｙ１と裏糸Ｙ２を緯方向に交互に並べた組を、緯方向に間隔をあけて複数組（本実施形態では４組）備え、隣り合う二組の間に補強糸Ｙ３を備える織物である。補強糸Ｙ３は、本実施形態では図１に示すように９，１８，２７番の経糸Ｙ３である。また二重織部Ｔ２の両隣りに位置する経糸Ｙは、２つの一重織部Ｔ１，Ｔ１の経糸Ｙ０であり、図１では０番、３６番の経糸Ｙ０であり、この０番、３６番の経糸Ｙ０も図２、図３（Ｂ）に示すように、補強糸Ｙ３と同じ織り方で織られている。  なお一重織部Ｔ１の３８番の経糸Ｙ０は、八本ごとに同じ織り方を繰り返して織られたものである。３８番の経糸Ｙ０は、１，２，７，８番の緯糸Ｘの裏側に重なると共に、３〜６番の二本の緯糸Ｘの表側に重なるように交錯させて織られ、この織り方で次の９〜１６番の八本の緯糸Ｘに対しても織られたものである。
【００３２】  また本発明の第一実施形態のファスナーテープＴは、織物を織るときに緯糸Ｘを織物の少なくとも一方の端部で折り返すようにして複数回ずつ、より詳しくは最低２回単位ずつ二重織部Ｔ２の杼口に通して形成されたものであり、その結果、最低２本単位の緯糸Ｘに対してその表側または裏側に経糸Ｙを重ねるように織られている。ちなみに杼口とは、織機で多数本の経糸Ｙを上下動することによって、経糸Ｙで形成される隙間であって、緯糸Ｘを通すためのものである。
【００３３】  また表糸Ｙ１は、二重織部Ｔ２の表側と裏側に６：２の割合で表れ、裏糸Ｙ２は二重織部Ｔ２の表側と裏側に２：６の割合で表れる。つまり織物の表側では経糸Ｙと緯糸Ｘの両方が存在するので、このことだけを考慮すれば、外観に関して表糸Ｙ１と裏糸Ｙ２の両方がそれぞれ６：２の割合で二重織部Ｔ２の表側に存在するように見えるように思われる。しなしながら現実は、織物の表側の外観に関しては表糸Ｙ１のみが存在し、織物の裏側の外観に関しては裏糸Ｙ２のみが存在するように見える。以下では、織物の表側の外観についての原因を述べ、裏側の外観についての原因は省略する。
【００３４】  表糸Ｙ１は隣り合う「六本」の緯糸Ｘの表側に重なっているので、この部分について表糸Ｙ１は経方向の長さが緯方向よりも充分に長くなる。そうすると、表糸Ｙ１のうち経方向の両端では、緯糸Ｘの拘束が強いが、経方向の中間部では緯糸Ｘの拘束が弱くなり、表糸Ｙ１が緯方向に広がった状態になる。いっぽう裏糸Ｙ２は隣り合う「二本」の緯糸Ｘの表側に重なっているので、この部分について裏糸Ｙ２は経方向の長さと緯方向の長さにあまり差がなく、それゆえ緯方向に殆ど広がらずに一直線の状態になる。したがって二重織部Ｔ２の表側に存在する表糸Ｙ１と裏糸Ｙ２の割合は、６：２ではなく、表糸Ｙ１が緯方向に広がった部分に対応して、より多くの割合を表糸Ｙ１が占めることになる。
【００３５】  また上記した緯糸Ｘの拘束の関係により、表糸Ｙ１は経方向の中間部では緯方向に広がるだけでなく、経糸Ｙと緯糸Ｘの重なり方向にも広がった状態になる。いっぽう裏糸Ｙ２は経糸Ｙと緯糸Ｘの重なり方向にも殆ど広がらずに一直線の状態になる。したがって表糸Ｙ１は縦方向の中間部に向かうにつれて裏糸Ｙ２よりも、より表側に位置するようになり、表糸Ｙ１の方が裏糸Ｙ２よりも視認され易くなる。
【００３６】  またニードル織機では製造時において経糸Ｙに比べて緯糸Ｘの張力が高い（図１の拡大図に示すように隣り合う２本の緯糸Ｘ、Ｘは織物の緯方向の一端側で、折れ曲がるようにして連続している）ので、織物となったときに、その織物を平面上に置くと、全ての緯糸Ｘは同一平面に存在するように見える。したがって表糸Ｙ１は、同一平面に存在する多数の緯糸Ｘの表側に重なっていることになり、表糸Ｙ１は目立つが、緯糸Ｘは目立たなくなる。なお表糸Ｙ１が緯方向に広がった状態になるので、緯糸Ｘは表糸Ｙ１によって覆われた状態になり、緯糸Ｘはより目立たなくなる。
【００３７】  また二重織部Ｔ２における経糸Ｙの密度は、緯糸Ｘの密度より大きくしてある。具体的な一例としては、糸の太さは経糸Ｙ、緯糸Ｘのいずれも３３０Ｔであるものとし、経糸Ｙの密度は２２０本／inch、緯糸Ｘの密度は９８本／inchとする。よって経糸Ｙの密度と緯糸Ｘの密度の比率は、２２０：９８＝２．２４：１となる。経糸Ｙの密度の比率を２．２４以上にすることにより、本実施形態での二重織部Ｔ２では、緯糸Ｘはより目立たなくなっている。
【００３８】  しかも一本の裏糸Ｙ２とその両隣りの二本の表糸Ｙ１との関係は、次のようになっている。裏糸Ｙ２のうち二重織部Ｔ２の表側に位置する部分の両隣りには、表糸Ｙ１のうち二重織部Ｔ２の表側に位置する部分が常に存在するという関係である。この関係は、より具体的に言えば、５、６番の緯糸Ｘの表側には２番の裏糸Ｙ２が存在するだけでなく、１、３番の表糸Ｙ１も存在する。したがって本実施形態での二重織部Ｔ２は、裏糸Ｙ２の存在が目立ち難い。
【００３９】  以上の原因により、外観に関しては表糸Ｙ１のみが二重織部Ｔ２の表側に存在するように見えるようになっている。
【００４０】  また本発明の第一実施形態のファスナーテープＴは、経糸Ｙと緯糸Ｘには織機で織る前に染められた糸、つまり先染め糸を用いており、しかも二重織部Ｔ２の経糸Ｙのうち表糸Ｙ１と裏糸Ｙ２と一重織部Ｔ１の経糸Ｙ０には異なる色の先染め糸を用いている。より詳しく言えば、二重織部Ｔ２の両隣りに位置する２つの一重織部Ｔ１の経糸Ｙ０と、二重織部Ｔ２の経糸Ｙのうち補強糸Ｙ３と、全ての緯糸Ｘには同じ色の一色の先染め糸が用いられ、この先染め糸とは異なる色の先染め糸が二重織部Ｔ２の経糸Ｙのうち表糸Ｙ１と裏糸Ｙ２には用いられている。また二重織部Ｔ２の経糸Ｙのうち表糸Ｙ１と裏糸Ｙ２も互いに異なる色の一色の先染め糸が用いられている。
【００４１】  そして前記したように二重織部Ｔ２の表側の外観に関しては表糸Ｙ１のみが二重織部Ｔ２の表側に存在するように見えるので、表側の外観に関しては、本発明の第一実施形態のファスナーテープＴは図１に示すように、二重織部Ｔ２の両隣りに位置する同じ色の２つの一重織部Ｔ１の間に二重織部Ｔ２が、経方向に延びる太い直線状に存在するように見えるだけでなく、一重織部Ｔ１の色とは異なる色（表糸Ｙ１の色）で見える。本実施形態のファスナーテープＴは、図４に示すように、ファスナーテープＴのエレメント列Ｅに沿って細幅のラインが経方向に延びるデザインに見える。  また図示しないが、裏側の外観に関しても、本発明の第一実施形態のファスナーテープＴは、二重織部Ｔ２の両隣りに位置する同じ色の２つの一重織部Ｔ１の間に、二重織部Ｔ２が経方向に延びる太い直線状に存在するように見えるだけでなく、一重織部Ｔ１の色とは異なる色（裏糸Ｙ２の色）で見える。  また例えば、二重織部Ｔ２の表糸Ｙ１を一重織部Ｔ１の経糸Ｙ０と異なる色の先染め糸として、二重織部Ｔ２の裏糸Ｙ２を一重織部Ｔ１の経糸Ｙ０と同じ色の先染め糸とした場合、ファスナーテープＴの表側は、二重織部Ｔ２の両隣りに位置する同じ色の２つの一重織部Ｔ１の間に二重織部Ｔ２が、経方向に延びる太い直線状に存在するように見えるだけでなく、一重織部Ｔ１の色とは異なる色（表糸Ｙ１の色）で見える。一方で、ファスナーテープＴの裏側は、一重織部Ｔ１と二重織部Ｔ２の色の違いが確認できない。よって、ファスナーテープＴの表側のみ、二重織部Ｔ２が一重織部Ｔ１とは異なる色で経方向に延びる太い直線状に存在するように見える。
【００４２】  本実施形態のファスナーテープＴは、二重織部Ｔ２の経糸Ｙだけでなく、一重織部Ｔ１の経糸Ｙにも先染め糸を用いているので、たとえば織物となった後に経糸を染めたものに比べれば、ファスナーテープＴの色は高品質になる。また二重織部Ｔ２の表側には表糸Ｙ１の色が外観上の影響を与え、二重織部Ｔ２の裏側には裏糸Ｙ２の色が外観上の影響を与えることから、ファスナーテープＴは表側と裏側で異なる外観になる。
【００４３】  また本発明の第一実施形態のファスナーテープＴは、二重織部Ｔ２における経糸Ｙの密度を一重織部Ｔ１の経糸Ｙ０の密度より大きくしてある。前記したように二重織部Ｔ２では、経糸Ｙの密度と緯糸Ｘの密度の比率は、２．２４：１としてある。この二重織部Ｔ２での密度比を前提として、二重織部Ｔ２の経糸Ｙの密度と一重織部Ｔ１の経糸Ｙ０の密度との比率を、１．６１：１としてある。したがって二重織部Ｔ２における経糸Ｙの密度は一重織部Ｔ１の経糸Ｙ０の密度より大きくなるので、二重織部Ｔ２では一重織部Ｔ１よりも経糸Ｙが見え易くなり（緯糸Ｘが見えにくくなり）、一重織部Ｔ１と二重織部Ｔ２を色で外観上見分け易くなる。
【００４４】  また本発明の第一実施形態のファスナーテープＴは、一重織部Ｔ１にエレメント列Ｅが取り付けられるものであり、二重織部Ｔ２に比べて一重織部Ｔ１の厚みが薄いし、二重織部Ｔ２の経糸Ｙの密度に比べて一重織部Ｔ１の経糸Ｙ０の密度が小さいので、例えばエレメント列Ｅとして、コイル状のモノフィラメントを縫製する場合に取り付け易い。
【００４５】  また本発明の第一実施形態のファスナーテープＴは、二重織部Ｔ２の経糸Ｙとして表糸Ｙ１、裏糸Ｙ２の他に補強糸Ｙ３を備えており、補強糸Ｙ３は表糸Ｙ１よりも二重織部Ｔ２の裏側に多く露出すると共に、裏糸Ｙ２よりも二重織部Ｔ２の表側に多く露出するものなので、たとえば表糸Ｙ１と裏糸Ｙ２だけを経糸Ｙとする二重織部に比べて、織物としての丈夫さが向上する。しかも本発明の第一実施形態のファスナーテープＴは、複数本の補強糸Ｙ３が織物の緯方向に間隔をあけて配置されているので、表糸Ｙ１と裏糸Ｙ２だけを経糸Ｙとする二重織部に比べて、織物としての厚みが薄くなる。
【００４６】  本発明は上記実施形態に限定されるものではなく、その趣旨を逸脱しない範囲において適宜変更可能である。二重織部Ｔ２は前述したように経二重織に限らず、緯二重織、経緯二重織であっても良い。また本実施形態では、二重織部Ｔ２に表糸Ｙ１、裏糸Ｙ２、補強糸Ｙ３を用いたが、これに限らず本発明は二重織部Ｔ２に表糸Ｙ１、裏糸Ｙ２のみを用いるものであっても良い。
【００４７】  また経緯二重織の場合、二重織部Ｔ２は、表糸Ｙ１と緯糸Ｘのみで構成される表側の一重織の織物と、裏糸Ｙ２と緯糸Ｘのみで構成される裏側の一重織の織物とが単に二枚重なり合うものであっても良いし、二重織部Ｔ２の織物としての丈夫さを補強するための補強糸Ｙ３を用い、二重織部Ｔ２の緯方向の適当な位置で表側の織物と裏側の織物とを補強糸Ｙ３で接結するものであっても良い。またこの補強糸Ｙ３は、二重織部Ｔ２を構成する全数の表糸Ｙ１または全数の裏糸Ｙ２のうち１本、あるいは複数本を補強糸Ｙ３として兼用するものであっても良いし、二重織部Ｔ２を構成する全数の表糸Ｙ１と裏糸Ｙ２とは全く別の糸であって、表側の織物と裏側の織物とを接結する専用の接結糸を用いるものであっても良い。この場合も補強糸Ｙ３は、表糸Ｙ１よりも二重織部Ｔ２の裏側に多く露出すると共に、裏糸Ｙ２よりも二重織部Ｔ２の表側に多く露出する。  ちなみに表側の織物と裏側の織物とが単に二枚重なり合っている場合、表糸Ｙ１はファスナーテープＴの表側にしか露出せず、裏側には全く露出しないし、裏糸Ｙ２はファスナーテープＴの裏側にしか露出せず、表側には全く露出しない。この場合も表糸Ｙ１は裏糸Ｙ２よりも二重織部Ｔ２の表側に多く露出するものであると共に、裏糸Ｙ２は表糸Ｙ１よりも二重織部Ｔ２の裏側に多く露出するものである。
【符号の説明】
【００４８】  ２０  スライドファスナー  ２１  ファスナーストリンガー  ２２  スライダー  Ｅ    エレメント列  Ｔ    ファスナーテープ  Ｔ１  一重織部  Ｔ２  二重織部  Ｘ    緯糸  Ｙ    経糸  Ｙ０  一重織部の経糸  Ｙ１  表糸  Ｙ２  裏糸  Ｙ３  補強糸
【図１】
0006689999.tif 000002
【図２】
0006689999.tif 000003
【図３】
0006689999.tif 000004
【図４】
0006689999.tif 000005